(57)【要約】【課題】従来の防水袋の欠点を解決し、ポータブル電子デバイスの使用の際に、手に持ったり操作したりする際に嵩張ることなく、操作の際や置く際の利便性が高い上に、確実に防水の効果を達成するポータブル電子デバイスの防護カバーを提供する。【解決手段】本考案の防護カバー３０は、高い伸縮性と防水性を備えたカバー型の形態を有し、ポータブル電子デバイス２０に対応して小さい。前記防護カバー３０は、開口部３０１及び収納部３０２を有して、ポータブル電子デバイス２０を収納し、開口部３０１の反対側にはカバー面を有し、内側に収納されたポータブル電子デバイス２０の操作面に対応する。【選択図】図３
0003205331.tif 000002
【実用新案登録請求の範囲】
【請求項１】
ポータブル電子デバイスに用いられる防護カバーであって、
前記防護カバーは、高い伸縮性及び防水性を有するカバー型の形態を呈し、
前記カバー型の防護カバーは、ポータブル電子デバイスに対応するように小さくなっており、
前記防護カバーは、開口部及び収納部を有しており、前記電子デバイスが挿入、収納されるものであり、
前記開口部の反対側にはカバー面を有することを特徴とする、ポータブル電子デバイスの防護カバー。
【請求項２】
前記防護カバーの開口部はポータブル電子デバイスの挿入端に対応して小さくなっていることを特徴とする請求項１に記載のポータブル電子デバイスの防護カバー。
【請求項３】
前記防護カバーのカバー面は、防護カバー収納部内に収納されたポータブル電子デバイスの操作面に対応することを特徴とする請求項１に記載のポータブル電子デバイスの防護カバー。
【請求項４】
前記防護カバーの開口部周縁には、束縁が設置されていることを特徴とする請求項１に記載のポータブル電子デバイスの防護カバー。
【請求項５】
前記防護カバーは、シリカ、ラテックス、シリコンスポンジ、プラスチック、ゴムまたはポリエチレン製であることを特徴とする請求項１に記載のポータブル電子デバイスの防護カバー。
【請求項６】
前記防護カバーのカバー面は、透明な面であることを特徴とする請求項１に記載のポータブル電子デバイスの防護カバー。
【請求項７】
前記防護カバーの開口部は、防護カバー内に収納されたポータブル電子デバイスの防水板面部に対応して密着することを特徴とする請求項１に記載のポータブル電子デバイスの防護カバー。
【請求項８】
前記防護カバーは、保護カバー４０に組み合わせられたポータブル電子デバイスの周面を覆うように設置されていることを特徴とする請求項１に記載のポータブル電子デバイスの防護カバー。
【請求項９】
前記防護カバー開口部周縁に設置された束縁は、平面状であることを特徴とする請求項４に記載のポータブル電子デバイスの防護カバー。
【請求項１０】
前記防護カバーの開口部は、前記保護カバー４０の防水板部によって密封されることを特徴とする請求項８に記載のポータブル電子デバイスの防護カバー。
【考案の詳細な説明】
【技術分野】
【０００１】
本考案は、ポータブル電子デバイスの防護カバーに関し、特に、設置が簡単であり、且つ、操作、使用がシンプルなことで、ポータブル電子デバイスに便利に使用することができ、体積が増すことなく、手に持ったり置いたりする際や操作の際に影響しないという利便性があり、確実な防水効果を有するという実用性がある、理想的な防護カバーであり、進歩性を有するポータブル電子デバイスの防護カバーに関する。
【背景技術】
【０００２】
ポータブル電子デバイス（例えば、スマートフォン、タブレットパソコン、ＧＰＳ等）は、すでに現代人の生活になくてはならないものとなっている。これらの電子デバイスは、ユーザーの衣服のポケットやバッグに収納される他、落としたり、ぶつけたりした場合にデバイスの内部の損傷を防いだり、表面に傷がつかないように、外部にプラスチックやレザーの保護カバーが設置されて保護される場合がほとんどである。また、水がデバイス内に浸入するのを防ぎ、ポータブル電子デバイスを水中で操作する場合に、別に防水袋を購入して、ポータブル電子デバイスや防護カバーを設置したポータブル電子デバイスをその中に収納して使用する場合が多い。図１に示したように、前記防水袋１０は、たいてい袋状であり、挿入端１０１に密封装置１１が設置されていて、ポータブル電子デバイス２０を防水袋１０の挿入端１０１から挿入して収納して、密封装置１１を操作して密封することで、中に収納されたポータブル電子デバイスを水の侵入から守り、水中での操作に対応する。
【０００３】
上述の防水袋を使用することで、ポータブル電子デバイスに水が浸入するのを防止することができるものの、以下の問題も存在する。
【０００４】
＜問題その１＞
防水袋１０とポータブル電子デバイス２０を密着させることができず、さらに、密封装置１１も防水袋１０の体積を大きくするため、ポータブル電子デバイス２０を防水袋１０に収納すると、必然的に全体の体積が大きくなり、嵩高くなって、手で持つ際や置く際に不便が生じる。
【０００５】
＜問題その２＞
さらに、防水袋１０とポータブル電子デバイスが密着せず、袋内で「泳ぐ」状態となり、ポータブル電子デバイスとして操作、使用する際に、不便が生じ、使いにくさを感じることになる。
【０００６】
＜問題その３＞
防水袋１０は、密封装置１１を設置しなければ使用することができず、製作に際してコストが高くなるという問題が生じる。
【先行技術文献】
【特許文献】
【０００７】
【特許文献１】（特になし）
【考案の概要】
【考案が解決しようとする課題】
【０００８】
したがって、本考案は、従来の防水袋の欠点を解決して、ポータブル電子デバイスの使用の際に、体積を大きくすることなく、手に持ったり操作したりする際に影響することがなく、操作の際や置く際の利便性が高く、且つ、確実に防水の効果を達成するポータブル電子デバイスの防護カバーを提供することを課題とする。
【課題を解決するための手段】
【０００９】
上述の課題を解決するために、本考案のポータブル電子デバイスの防護カバーは、高い伸縮性と防水性を備えたカバー型の形態を有しており、前記カバー型の防護カバーは、ポータブル電子デバイスに対応する小さい形態を呈する。前記防護カバーは、開口部及び収納部を有しており、ポータブル電子デバイスを収納して、開口部の反対側には、カバー面を有して、内側に収納されたポータブル電子デバイスの操作面に対応する。これにより、ポータブル電子デバイスが防護カバーに収納されて、防護カバーの高伸縮性により、前記ポータブル電子デバイスの周辺及び周面が防護カバーによってしっかり密封されて、体積を大きくすることなく、手に持ったり操作したりする際に影響することなく高い利便性を有し、さらに、確実に防水効果を達成することを特徴とする。
【考案の効果】
【００１０】
このように、本考案のポータブル電子デバイスの防護カバーは、設置が簡単であり、且つ、操作、使用がシンプルなことにより、ポータブル電子デバイスに便利に使用することができ、体積が増すことなく、手に持ったり置いたりする際や操作の際に影響せず利便性があり、確実な防水効果を有するという実用性があり、理想的な保護カバーであり、且つ、本考案の防護カバーは進歩性を有する。
【図面の簡単な説明】
【００１１】
【図１】従来の防水袋の使用状態を示した立体図である。
【図２】本考案の一実施形態である防護カバーの実施例を示した立体図である。
【図３】本考案の一実施形態である防護カバーとポータブル電子デバイスを組み合わせる実施例における相互の位置関係を示した立体図である。
【図４】本考案の一実施形態である防護カバーをポータブル電子デバイスに設置した実施例を示した図である。
【図５】図５は図４の断面を示した図である。
【図６】本考案の一実施形態である防護カバーをポータブル電子デバイスと保護カバーに組み合わせた実施例を示す断面図（一）である。
【図７】本考案の一実施形態である防護カバーをポータブル電子デバイスと保護カバーに組み合わせた実施例を示した断面図（二）である。
【考案を実施するための形態】
【００１２】
図２、図３、図４、図５を参照しながら説明する。本考案のポータブル電子デバイスの防護カバー３０は、高い縮合性及び防水性を有するカバー型の形態を呈する。前記カバー型の防護カバー３０は、ポータブル電子デバイス２０に対応するように小さくなっており、前記防護カバー３０は、開口部３０１及び収納部３０２を有しており、前記開口部３０１はポータブル電子デバイス２０の挿入端に対応して小さくなっていることで、それを開いてポータブル電子デバイス２０が収納部３０２に収納される。開口部３０１の反対側には、カバー面３０３を有して、内側に収納されたポータブル電子デバイス２０の操作面２０１に対応する。開口部３０１の周縁には、束縁３０１１が環状に設置されることで、開口部３０１の強度及び締め付ける度合いを高める。
【００１３】
前記防護カバー３０は、高い伸縮性、防水性、強靭性及び剥離強度の高いシリカまたはラテックスまたはシリコンスポンジまたはプラスチックまたはゴムまたはＰＥ（ポリエチレン）により製成される。
【００１４】
前記防護カバー３０のカバー面３０３は、透明な面である。
【００１５】
ポータブル電子デバイス２０が防護カバー３０の収納部３０２に収納されると、前記防護カバー３０の開口部３０１は、ポータブル電子デバイス２０の防水板面部２０２（例えば、電子デバイスのケース背面）に対応して密着する。
【００１６】
上述の構成により、本考案は、防護カバー３０が、ポータブル電子デバイス２０に対応して小さく、且つ、極めて高い伸縮性、防水性、強靭性及び離強度を有し、さらに、前記防護カバー３０の開口部３０１は、ポータブル電子デバイス２０の挿入端に対応して小さく、ポータブル電子デバイス２０が押し開かれた開口部３０１から容易に収納部３０２から挿入されると同時に、防護カバー３０全体が弾力性を有して広がることで、カバーされたポータブル電子デバイス２０周辺及び周面に確実に密着して、防水効果を達成する。
【００１７】
防護カバー３０の開口部３０１周縁に束縁３０１１を有することで、ポータブル電子デバイス２０が防護カバー３０によって密着してカバーされ、優れた締め付け度、安定性及び防水性を達成する。
【００１８】
防護カバー３０の開口部３０１の周縁に設置された束縁３０１１は、平面状が理想的であり、開口部３０１の周縁の厚みを無駄に増加させることがなく、手にした時の持ち心地もよい。
【００１９】
ポータブル電子デバイス２０が防護カバー３０に設置されると、防護カバー３０のカバー面３０３が、透明な面でポータブル電子デバイス２０の操作面２０１（例えば、電子デバイスの液晶ディスプレイ）に対応することで、ポータブル電子デバイス２０を使用する際に、同様の操作及び視覚効果が得られる。
【００２０】
防護カバー３０の開口部３０１は、小さい形状で設置され、且つ、ポータブル電子デバイス２０の防水板面部２０２に密封されて対応することで、ポータブル電子デバイス２０が防護カバー３０にカバーされた後、開口部３０１から水が浸入することがない。
【００２１】
図６、図７に示したように、異なるポータブル電子デバイスに応じて、本考案の防護カバー３０は、ポータブル電子デバイス２０に設置された後、さらに、一般のプラスチックやレザーの保護カバー４０が設置され（図６に示したとおり）、あるいは既にプラスチックやレザーの保護カバー４０が設置されたポータブル電子デバイス２０の周面に防護カバー３０が直接設置されていてもよく（図７に示したとおり）、これら図６、図７は前述の実施形態と同様に防水効果を有するものであり、このような形で保護カバーの適用範囲（適用状態）を拡大してもよい。このうち、防護カバー３０は、保護カバー４０の周面に設置される時、前記防護カバー３０の開口部３０１は、保護カバー４０の防水板部４０１（図７に示したとおり）に密着して対応することで、開口部３０１から浸水するのを防止する。
【００２２】
ここで強調すべきは、本考案のポータブル電子デバイスの防護カバーは、極薄型の形態を呈することにより、ポータブル電子デバイス２０と組み合わせた際に、所定の防水効果を達成すると同時に、体積を大きくすることなく、手に持ったときの感触や操作、置く際の動作に影響することなく、高い利便性を有するということである。
【００２３】
言い換えれば、本考案は以下の長所を有する。
【００２４】
＜長所その１＞
製作が簡単で、経済性に優れる。
【００２５】
＜長所その２＞
操作がシンプル且つ便利であり、実施の際の敏捷性を有する。
【００２６】
＜長所その３＞
ポータブル電子デバイスを使用する際に、体積を大きくすることなく、手に持ったときの感触や操作、置く際の動作に影響することなく、高い利便性を有すると同時に、確実に防水の効果を達成できる。
【００２７】
以上、本考案の実施例について図面を参照して詳述してきたが、具体的な構成は、これらの実施例に限られるものではなく、本考案の要旨を逸脱しない範囲の設計変更などがあっても、本考案に含まれる。
【符号の説明】
【００２８】
１０  防水袋
１０１  挿入端
１１  密封装置
２０  ポータブル電子デバイス
２０１  操作面 
２０２  防水板面部
３０  防護カバー
３０１  開口部
３０１１  束縁
３０２  収納部
３０３  カバー面
４０  保護カバー
４０１  防水板部
【図１】
0003205331.tif 000003
【図２】
0003205331.tif 000004
【図３】
0003205331.tif 000005
【図４】
0003205331.tif 000006
【図５】
0003205331.tif 000007
【図６】
0003205331.tif 000008
【図７】
0003205331.tif 000009